(57)【要約】  ワイヤレスネットワーク中で位置場所情報を決定するシステムおよび方法を提供する。１つの実施形態では、タイミングオフセット情報が、複数の送信機と１つの受信機との間で通信される。このような情報によって、ネットワーク全体にわたったタイミング差に対処するように正確な位置または場所の決定を行うことができる。別の実施形態では、受信機における潜在的なタイミング差に対処するために、送信機からの送信を前進または遅延させる送信機位相調整を行う。さらに別の観点では、位置場所決定を容易にするために、タイミングオフセット通信および／または送信機位相調整の組み合わせをワイヤレスネットワークにおいて使用することができる。【選択図】      図７
2009512253.tif 000002
【特許請求の範囲】
【請求項１】
ワイヤレスネットワークにおける位置情報を決定する方法において、
共通クロックと少なくとも１つの他のクロックとの間の時間オフセット情報を決定することと、
時間オフセット情報に部分的に基づいて、少なくとも１つの送信機の位相を調整することと、
時間オフセット情報または調整された送信機の位相に部分的に基づいて、受信機の位置を決定することとを含む方法。
【請求項２】
共通クロックは、グローバルポジショニングシステム信号に基づいている請求項１記載の方法。
【請求項３】
少なくとも１つの受信機に時間オフセット情報を通信することをさらに含む請求項１記載の方法。
【請求項４】
フォワードリンクオンリー（ＦＬＯ）ネットワーク中でタイミングオフセット情報を送信することと、
フォワードリンクオンリーネットワークにおける送信機タイミングを前進または遅延させて、受信機によって認識されるような有効なチャネル遅延拡散を調整することとをさらに含む請求項３記載の方法。
【請求項５】
ＦＬＯネットワークは、単一周波数ネットワーク（ＳＦＮ）動作モードに対して配備され、そこでは送信機は共通クロックに同期され、または送信信号とのチャネルの線形畳み込みを実行する請求項４記載の方法。
【請求項６】
少なくとも２つのタイミングオフセットを発生させることをさらに含む請求項１記載の方法。
【請求項７】
共通クロックからの同期パルスに対して、信号を遅延または前進させることによって遅延拡散を制御することをさらに含む請求項６記載の方法。
【請求項８】
少なくとも２つの送信機間の固定されたタイミングオフセットを設定することをさらに含む請求項６記載の方法。
【請求項９】
サイクリック・プレフィックス要求を満たすために、共通クロックに対する送信の前進または遅延、あるいは送信機からの送信の遅延を示す正または負のパラメータを送ることをさらに含む請求項６記載の方法。
【請求項１０】
ロングサイクリック・プレフィックスを使用して、遠くにある送信機からの遅延の推定を可能にすることをさらに含む請求項９記載の方法。
【請求項１１】
三角測量方法によって、３つ以上の既知の場所からの受信機の相対距離を決定することをさらに含む請求項１記載の方法。
【請求項１２】
ワイヤレスネットワークシステムにおける位置情報を決定する方法において、
ワイヤレスネットワークシステムにおける共通クロック源を考慮して、受信機と送信機との間の少なくとも１つのタイミングオフセットを決定することと、
時間オフセットを受信機に送信すること、または共通クロック源を考慮して送信機において信号を修正することと、
時間オフセットまたは修正された信号に基づいて、受信機における位置を計算することとを含む方法。
【請求項１３】
ローカルエリアオーバーヘッド情報シンボルフィールド、またはワイドエリアオーバーヘッド情報シンボルフィールド中のオーバーヘッドシンボルを使用して、タイミングオフセットをブロードキャストすることをさらに含む請求項１２記載の方法。
【請求項１４】
タイミングオフセットをポジショニングパイロットチャネル（ＰＰＣ）に埋め込むことをさらに含む請求項１２記載の方法。
【請求項１５】
タイミングオフセットを有する送信機の暦をブロードキャストすること、または１つ以上の擬似距離範囲を送信機の暦に中継することをさらに含む請求項１３記載の方法。
【請求項１６】
ワイヤレスポジショニングシステムにおいて、
ワイヤレスネットワークにおける共通クロックと少なくとも１つの他のクロックとの間のタイミングオフセットを決定する手段と、
ワイヤレスネットワーク中でタイミングオフセットを送信する手段と、
タイミングオフセットに部分的に基づいて、送信機信号位相または送信機信号周波数を変える手段とを具備するシステム。
【請求項１７】
タイミングオフセット、送信機信号位相、または送信機信号周波数に少なくとも部分的に基づいて、デバイスに対する場所を決定する手段をさらに具備する請求項１６記載のシステム。
【請求項１８】
記憶されている機械実行可能な命令を有する機械読取り可能な媒体において、
送信機クロックのうちのサブセットに対して共通クロック間のタイミング差を決定することと、
タイミング差を少なくとも１つの受信機に通信することと、
タイミング差に部分的に基づいて、送信機クロックを調整することとを含む機械読取り可能な媒体。
【請求項１９】
調整された送信機クロックまたは決定されたタイミング差に基づいて、受信機の場所を決定することをさらに含む請求項１８記載の機械読取り可能な媒体。
【請求項２０】
送信機クロックのうちのサブセットによる三角測量技術を使用して、場所を決定することをさらに含む請求項１８記載の機械読取可能な媒体。
【請求項２１】
送信機、受信機、またはグローバルポジショニングクロック源との間のタイミング差を決定する計算を実行するためのコンポーネントをさらに含む請求項１８記載の機械読取可能な媒体。
【請求項２２】
タイミング差に対処するために、送信機ブロードキャストをどれくらい前進または遅延させるかを決定するためのコンポーネントをさらに含む請求項２１記載の機械読取可能な媒体。
【請求項２３】
潜在的なシステム変化を監視するために、１つ以上のテストデバイスを提供することをさらに含み、このデバイスでは、オフセットの決定または送信機信号調整を容易にするために、テストデバイスからフィードバックが受け取られる請求項１８記載の機械読取可能な媒体。
【請求項２４】
一定時間オフセットを送信して、環境または電子状態が変化したときにタイミングを前進または遅延させる調整可能な信号源を利用するためのコンポーネントをさらに含む請求項１８記載の機械読取可能な媒体。
【請求項２５】
閉ループメカニズムに基づいて、時間オフセットまたは信号タイミングを変化させることをさらに含む請求項２４記載の機械読取可能な媒体。
【請求項２６】
記憶されているデータ構造を有する機械読取可能な媒体において、
送信機クロックのうちのサブセットに対する共通クロック間のタイミングオフセットを決定することと、
少なくとも１つのデータフィールド中にタイミングオフセットを記憶させることと、
データフィールド中のタイミングオフセットに部分的に基づいて、少なくとも１つのデバイスに対する送信機信号位相または周波数調整を決定することとを含む機械読取可能な媒体。
【請求項２７】
物理層、ストリーム層、メディアアクセス層、および上位層のうちの少なくとも１つを有する層コンポーネントをさらに含み、物理層は、フレームフィールド、パイロットフィールド、オーバーヘッド情報フィールド、ワイドエリアフィールド、およびローカルエリアフィールドのうちの少なくとも１つをさらに含む請求項２６記載の機械読取可能な媒体。
【請求項２８】
少なくとも１つのワイヤレスデバイスの位置を決定するためのコンポーネントをさらに含む請求項２７記載の機械読取可能な媒体。
【請求項２９】
ワイヤレス通信装置において、
ワイヤレスネットワークを通して受信した時間オフセットパラメータから時間ベースを決定するためのコンポーネントを含むメモリと、
少なくとも１つの送信機から受信した時間オフセットパラメータに基づいて、信号または位相調整から、少なくとも１つの受信機の位置を決定するプロセッサとを具備する装置。
【請求項３０】
フォワードリンクオンリーデータストリーム、時間オフセットパラメータ、または調整された送信機信号をデコードするための１つ以上のコンポーネントをさらに具備する請求項２９記載の装置。
【請求項３１】
ワイヤレスポジショニングネットワーク中で基地局リソースを動作させる装置において、
１組の送信機に対するタイミングオフセットを決定する手段と、
タイミングオフセットを少なくとも１つの受信機に通信する手段と、
タイミングオフセットから考慮して、１組の送信機に対する信号位相または信号周波数を調整する手段とを具備する具備する装置。
【請求項３２】
タイミングオフセットに、または調整された信号位相および信号周波数に基づいて、受信機と連関して、受信機の位置を決定する手段をさらに具備する請求項３１記載の装置。
【発明の詳細な説明】
【関連出願の相互参照】
【０００１】
本出願は、“タイミングオフセットを有する送信機を用いた位置特定”と題された２００５年９月２７日に出願された米国仮出願第６０／７２１，５０５号の利益を主張し、この米国特許出願は本願の譲受人に譲渡され、参照により明確にここに組み込まれている。
【分野】
【０００２】
本技術は、一般的に、通信システムおよび方法に関する。さらに詳細に説明すると、ネットワーク内のタイミングオフセットまたは送信機位相調整技術を使用することによって、ワイヤレスネットワークにしたがって位置場所を決定するシステムおよび方法に関する。
【背景】
【０００３】
優位を占めるワイヤレスシステムを有する１つの技術は、コード分割多元接続（ＣＤＭＡ）デジタルワイヤレス技術である。ＣＤＭＡに加えて、無線インターフェイス仕様は、ワイヤレスプロバイダの産業先導グループによって開発されているＦＬＯ（フォワードリンクオンリー）技術（登録商標）を規定する。一般的に、ＦＬＯは、コーディングおよびシステム設計において利用可能かつ使用され、最も進んでいるワイヤレス技術の最も効果的な機能に影響を及ぼし、最高品質の性能を一貫して達成している。１つの目的は、ＦＬＯをグローバル的に採用される標準規格とすることである。
【０００４】
移動体マルチメディアの１つのケースにおいてＦＬＯ技術は設計されてきた。そして、ＦＬＯ技術は、セルラハンドセット上での使用に典型的に適している性能特性を示している。リアルタイムコンテンツストリーミングおよび他のデータサービス双方の高品質の受信を常に実現するために、コーディングおよびインターリービングする際に最新で進歩したものを使用する。ＦＬＯ技術は、消費電力を損なわずに、強固な移動性能および高容量を提供することができる。また、配備する必要がある送信機の数を劇的に減らすことによって、技術はマルチメディアコンテンツを配信するネットワークコストを減少させる。さらに、ＦＬＯ技術ベースのマルチメディアのマルチキャスティングは、ワイヤレスオペレータのセルラネットワークデータおよび音声サービスを補足し、３Ｇネットワーク上で使用される同じセルラハンドセットにコンテンツを配信する。
【０００５】
ＦＬＯワイヤレスシステムは、非リアルタイムサービスに加えて、移動体ユーザに対して、リアルタイムオーディオおよびビデオ信号をブロードキャストするように設計されている。所定の地理的エリア中のワイドカバレージを保証するために、各ＦＬＯ送信は、高くて高出力の電力送信機を使用して実行される。さらに、所定のマーケットにおける人口のかなりの部分にＦＬＯ信号が確実に到達するように、大半の市場において３〜４つの送信機を配備することが一般的である。ＦＬＯ送信機カバレージのために、例えば、三角測量技術に基づいて、位置場所を決定することが可能である。従来の位置決定技術では、距離範囲測定のために、衛星ベースのＧＰＳ信号を利用する。しかしながら、衛星ベースの信号に伴う問題は、例えば、衛星に対する見通線が見られない屋内環境における信号の利用可能性の欠如である。
【概要】
【０００６】
以下では、いくつかの観点の実施形態の基本的な理解を提供するために、さまざまな実施形態の簡略化した概要を示している。この概要は、多彩な概略ではない。重要な／不可欠なエレメントを識別することや、ここで開示した実施形態の範囲を詳細に述べることに向けられていない。この唯一の目的は、後に示す詳細な説明の前置きとして、いくつかの概念を簡単な形態で示すことである。
【０００７】
従来のグローバルポジショニングシステム（ＧＰＳ）技術に代わって（または、ともに）、ワイヤレスネットワーク全体にわたって、位置または場所の情報を決定するシステムおよび方法を提供する。１つの実施形態では、ブロードキャストネットワークにおける位置場所は、送信機間のタイミング差に対処する複数の送信機を使用して決定される。多くの位置場所アルゴリズムは、例えば、距離範囲測定に使用される信号を発する送信機が、ＧＰＳのような共通中央クロックを使用して、時間的に整列されると仮定している。しかしながら、ネットワーク全体にわたる信号の受信および品質を向上させるために、送信機のうちのいくつかの送信機からの送信を中央クロックに関して前進／遅延させることが、あるブロードキャストシステムにおいていくつかの利点となる。このようなケースでは、位置場所アルゴリズムは、送信機のタイミングオフセット情報を利用し、結果的に、従来の位置場所コンポーネントよりも、より正確に距離範囲測定を行うことになる。したがって、いくつかの実施形態では、この付加的な情報を受信機で使用するとともに、オーバーヘッドパラメータ情報（例えば、タイミングオフセット情報）を送信し、結果的に正確な距離範囲測定とすることができる。
【０００８】
別の実施形態では、受信機でのタイミングオフセットに対処する必要性を軽減するために、信号送信タイミングを各送信機において前進または遅延させることができる。送信される信号のタイミングにおいて送信機を調整することによって、オフセット計算を減らしつつも、正確な位置情報を各送信機で決定することができる。その理由は、中央クロックからのタイミング不整合は送信機ですでに対処されているからである。正しく認識できるように、正確な位置場所決定を容易にするために、いくつかのシステムは、受信機に通信されるタイミングオフセット、および／または送信機におけるタイミング調整を組み合わせたものを含むことができる。
【０００９】
先述の関連した目的の達成のために、詳細な説明および添付した図面とともに、ある実例的な実施形態をここに記述する。これらの観点は、実施形態が実施されてもよいさまざまな方法を示しており、これらすべてを網羅するように意図されている。
【詳細な説明】
【００１０】
ワイヤレスネットワークにおける位置場所情報を決定するシステムおよび方法を提供する。１つの実施形態では、タイミングオフセット情報は、複数の送信機と１つ以上の受信機との間で通信される。このような情報によって、ネットワーク全体にわたるタイミング差に対処する、正確な位置または場所の決定を行うことができる。別の実施形態では、送信機と共通クロックとの間の潜在的なタイミング差に対処するために、送信機からの送信を前進または遅延させる送信機位相調整が行われる。この方法において、受信機ではさらにタイミング調整をせずに位置場所の決定を行うことができる。さらなる別の観点では、位置場所の計算または決定を容易にするように、ワイヤレスネットワークにおいてタイミングオフセット通信および／または送信機位相調整の組み合わせを用いることができる。
【００１１】
タイミングオフセットは、送信機クロックと共通クロック源との間のタイミングにおける不整合であると考えることができ、これは、共通クロック同期信号と比較されたオフセットで送信されている、送信機における同期シンボルになることに留意すべきである。例えば、フォワードリンクオンリー（ＦＬＯ）信号のケースでは、一般的に、送信機におけるスーパフレーム境界が、ＧＰＳからの１ＰＰＳ信号に同期されることが予測される。しかしながら、タイミング不整合のために、または場合によっては意図的なネットワーク最適化の目的のために、実際、スーパフレーム境界は、ＧＰＳからの１ＰＰＳ信号に対して、より早いかもしれず、あるいは遅延されるかもしれない。このことを送信機におけるタイミングオフセットと呼ぶ。
【００１２】
送信機における位相調整に伴って、送信機波形は、実質的に、送信機におけるタイミングオフセットに関係なく、受信機によって認識される伝播遅延を調整するために修正される。このケースでは、たとえ送信機のクロック（したがって送信）が共通クロック源に正確に同期化されたとしても、送信機波形が修正されて、結果的に、受信機における伝播遅延測定が歪む可能性がある。例えば、ＯＦＤＭシグナリングを使用しているＦＬＯのケースでは、スーパフレーム境界をＧＰＳからの１ＰＰＳと同期させることができる。しかしながら、送信機は、ＯＦＤＭシンボルバッファの巡回シフトを使用することによって、送信位相を調整することができる。ＯＦＤＭシンボルに対するサイクリック・プレフィックスは、巡回的にシフトされたＯＦＤＭシンボルに基づいて形成することができる。このような信号修正に伴って、受信機によって認識される遅延は、選択された送信位相（すなわち、ＯＦＤＭシンボル上の巡回シフトの量）によって変わる。このことを送信機における位相調整と呼ぶ。
【００１３】
本出願において使用されているような、用語「コンポーネント」、「ネットワーク」、「システム」およびこれらに類似するものは、コンピュータ関連エンティティ、ハードウェア、ハードウェアとソフトウェアとを組み合わせたもの、ソフトウェア、または実行中のソフトウェアのいずれかを参照することに向けられている。例えば、コンポーネントは、プロセッサ上で実行するプロセス、プロセッサ、オブジェクト、実行ファイル、実行のスレッド、プログラムおよび／またはコンピュータであってもよいが、これらに限定されるものではない。実例によって、通信デバイス上で実行しているアプリケーションおよびデバイスの双方がコンポーネントであってもよい。１つ以上のコンポーネントは、実行のプロセスおよび／またはスレッド内に存在していてもよく、コンポーネントは、１つのコンピュータ上でローカライズおよび／または２つ以上のコンピュータ間に分散されてもよい。さらに、これらのコンポーネントは、記憶されたさまざまなデータ構造を有するさまざまなコンピュータ読取可能な媒体から実行することができる。コンポーネントは、１つ以上のデータパケット（例えば、ローカルシステム中で、分散システム中で、および／またはインターネットのようなワイヤまたはワイヤレスネットワークによって、別のコンポーネントと対話する１つのコンポーネントからのデータ）を有する信号にしたがうようなローカルおよび／またはリモートプロセスによって通信してもよい。
【００１４】
図１は、ワイヤレスネットワークポジショニングシステム１００を図示している。システム１００は１つ以上の送信機１１０を含み、送信機１１０は、ワイヤレスネットワーク全体にわたって１つ以上の受信機１２０と通信する。受信機１２０は、携帯電話機、コンピュータ、パーソナルアシスタント、ハンドヘルドまたはラップトップデバイス等のような、何らかのタイプの通信デバイスを実質的に含むことができる。システム１００では、受信機１２０の位置または場所を決定することを容易にする１つ以上の位置場所コンポーネント１３０が使用されている。一般的に、ここで記述するさまざまな実施形態において、送信機１１０と受信機１２０との間のタイミング同期情報を調整して、受信機での正確な位置場所決定を容易にすることが必要であるかもしれない。１つのケースでは、タイミングオフセットコンポーネント１４０は、送信機１１０と受信機１２０との間で通信し、位置場所決定コンポーネントまたはアルゴリズムにおいて対処すべき、ワイヤレスネットワークにおけるタイミング差または調整を示すことができる。別のケースでは、位相調整コンポーネント１５０を送信機１１０で使用して、信号を前進または遅延させ、これはシステム１００で生じるかもしれないタイミング不整合または差を補償する効果がある。他の実施形態では、タイミングオフセットコンポーネント１４０および／または位相調整コンポーネント１５０のさまざまな組み合わせを同時に使用して、ワイヤレスネットワークポジショニングシステム１００中での位置場所決定を容易にすることができる。図示したように、１つ以上のパイロットシンボル１５４を遅延測定のために提供することが可能である。
【００１５】
一般的に、従来の位置場所技術は、衛星ベースのＧＰＳ信号の距離範囲測定に利用される。しかしながら、衛星ベースの信号が有する１つの問題は、衛星に対する見通線が得られない屋内環境でのように信号の利用可能性が欠如することである。一方、フォワードリンクオンリー（ＦＬＯ）送信の高出力の性質によって、ＧＰＳ信号が利用不可能である屋内環境においてＦＬＯ波形を利用することが容易になる。したがって、複数の送信機からＦＬＯ信号が利用可能であるとき、ＦＬＯ信号からなされる測定値に基づいて位置特定する代替物が存在する。以下の説明では、ＦＬＯ受信機は少なくとも３つの異なった（他の構成も可能な）ＦＬＯ送信機からの信号にアクセスすることができるが、これらのＦＬＯ送信機は、同じ情報内容を送信してもよいし、送信しなくてもよいことを仮定する。
【００１６】
一般的に、ＦＬＯネットワークは、単一周波数ネットワーク（ＳＦＮ）動作モードに対して配備され、そこでは送信機は共通クロック源に同期される。例えば、ＧＰＳからの１ＰＰＳ信号からクロック源を取り出すことができる。ＦＬＯ波形は、直交周波数分割多重化（ＯＦＤＭ）シグナリングに基づいている。そして、例えば、チャネルの遅延拡散が約１３５ｕｓよりも小さいという想定のもとで、ＦＬＯ波形を設計することができる。複数の送信機１１０が受信機１２０に対して可視的であるときに、受信機によって認識される遅延拡散は、さまざまな送信機からの、受信機の相対位置の関数である。いくつかのケースでは、受信機１２０は、送信機１１０のうちの１つの近くにあり、また他の１つの送信機から遠く離れているので、結果的に、大きな遅延拡散となる可能性がある。結果的に生じる遅延拡散が１３５ｕｓ（または他の基準）の設計仕様を超える場合、システム性能上に重大なペナルティをこうむる可能性がある。しかしながら、中央クロックからの同期化パルスに対してスーパフレーム境界を遅延または前進させることによって、ネットワークでのさまざまなポイントの受信機１２０によって認識される遅延拡散を制御することが可能である。したがって、最適化されたＦＬＯネットワーク配置では、固定されたタイミングオフセットが異なる送信機１１０間で存在するとの仮定を現実的なものとすることができる。
【００１７】
ＦＬＯネットワークのＳＦＮ配置では、中央クロックに対して固定されたタイミングオフセットで動作するように送信機１１０を（したがって、互いに）調整して、受信機１２０において見られる遅延拡散が、したがってシステム性能が最適化されるだろう。対処されない場合、送信機における相対的なタイミングオフセットは、位置特定に対する距離範囲測定に悪影響を及ぼす可能性がある。しかしながら、移動ベースの位置特定およびネットワークベースの位置特定では、距離範囲計算を修正することによって送信機タイミングオフセットに対処することができる。これは、移動ベースの位置特定システム中で受信機１２０に対して送信機タイミングオフセット情報をＦＬＯネットワークに提供させることや、送信タイミングおよび位相信号を調整することや、または信号調整とタイミングオフセットとを組み合わせたものを含むことができる。
【００１８】
図２は、位置決定のためにタイミングオフセットを使用する例示的なシステム２００を図示している。この例では、２１０における送信機Ａ、ＢおよびＣは、ＦＬＯ信号を搬送する３つの異なるＦＬＯ送信機とすることができ、ＦＬＯ信号は、ある所定の時点で、受信機２２０の受信範囲内に存在する。さらに、ｄa、ｄbおよびｄcは、共通クロック源２４０に対する各送信機のタイミングオフセット２３０を指す。ここでは、正オフセットが、中央クロック２４０に対して送信を前進させることを指す一方で、負オフセットは、中央クロックに対して送信を遅延させることを指す。位相および周波数において、受信機クロックを共通クロック源２４０と同期させることを仮定することができる。
【００１９】
一般的に利用可能である無線ＦＬＯインターフェイス仕様によって、（ポジショニングパイロットチャネルとして知られている）送信機に特有なシンボルをそれぞれの送信機２１０が挿入することができる。受信機２２０が送信機２１０のそれぞれからの伝播遅延を推定できるように、これらのシンボルを設計することができる。弱いエネルギーとともに長い遅延拡散も有するチャネルでも依然として受信機２２０において検出することができるように、ポジショニングパイロットチャネルは、実質的に、それぞれの送信機に特有な１組のパイロットトーンであり、高処理利得で設計されている。送信機２１０から受信機２２０への著しい分散のない見通線伝播のケースでは、一般的に、ポジショニングパイロットによって得られるチャネル推定は、単一パスからなる。送信機２１０から受信機２２０の距離は、チャネル推定の際に、チャネルパスの場所に基づいて決定される。
【００２０】
システム例２００における、送信機Ａからのポジショニングパイロットチャネルの基づくチャネル推定では、τaを、単一パス（または、複数のパスのケースでは、最初に到達するパス）の場所とする。同様に、送信機ＢおよびＣからのそれぞれのチャネル推定では、τbおよびτcを、最初に到達するパスの遅延とする。３つの送信機２１０とともに受信機２２０におけるクロックが周波数とともに位相で同期されている場合、チャネル推定によって測定された伝播遅延によって乗算された光の速度（ｃ）として、送信機からの受信機の距離が計算される。しかしながら、送信機２１０におけるタイミングオフセットの存在で、受信機２２０において測定された遅延は、送信機と受信機との間のタイミングオフセット２３０によって訂正されるべきである。したがって、送信機Ａからの受信機の距離は、
【数１】
2009512253.tif 000003
【００２１】
によって与えられ、ここで、ｃは、光の速度である。
【００２２】
同様に、
【数２】
2009512253.tif 000004
【００２３】
である。３つの既知の場所からの受信機２２０の相対的な距離が決定される（このケースでは、既知の場所がＦＬＯ送信機である）とき、受信機の場所は、よく知られている方法である三角測量によって得ることができる。三角測量の方法は、それぞれ半径Ｓa、Ｓb、Ｓcを有する３つの送信機Ａ、ＢおよびＣの周りに描かれた円の単一の交差点を実質的に決定することである。したがって、送信機２１０における相対的なタイミングオフセットのケースにおいて、タイミングオフセット値２３０に受信機２２０が気付いて、位置または場所を正確に決定すると有用であることが明らかである。
【００２４】
図３は、タイミング情報を通信する例示的な方法３００を図示している。正しく認識できるように、タイミングオフセット情報３００を受信機に送信するためのいくつかの実行可能な技術がある。ＧＰＳクロックまたは他の共通クロックのような共通中央クロックに対する、送信機のそれぞれのタイミングオフセットに受信機が気付いたら十分であることに留意すべきである。
【００２５】
３１０において、１つの実行可能な送信メカニズムでは、オーバーヘッドシンボルを使用して、タイミングオフセットについての情報を送信機がブロードキャストする。例えば、ＦＬＯシステムにおいて、所定のローカルエリア中のすべての送信機からのタイミング情報を、ローカルエリアＯＩＳ（オーバーヘッド情報シンボル）フィールド中に含むことができる。そして、ローカルエリアＯＩＳフィールドは、所定のローカルエリアに特有であるが、所定のワイドエリア中の異なるローカルエリア全体にわたって変化する。このようなアプローチの１つの効果は、送信機タイミング情報がローカライズされることである。その送信機からポジショニングパイロットチャネルを受信することができない送信機についての、受信機間のタイミングオフセット情報には利点は提供されないことに留意すべきである。一方で、ローカルＯＩＳフィールドは、ポジショニングパイロットチャネルよりも、カバレージの境界でいっそう干渉され易いかもしれない。結果として、受信機は、ポジショニングパイロットチャネルのデコーディングに成功することができるものの、ローカルＯＩＳチャネルからタイミング情報を得ることはできないかもしれない。このアプローチの１つの変形は、ワイドエリアＯＩＳにおいてタイミング情報を含むことであり、さらに幅広い地理的エリア（そしてしたがって有効帯域幅）にわたって送信機タイミングをブロードキャストするという犠牲をはらう、カバレージのエッジ問題を取り除く。
【００２６】
３２０において、タイミング情報を送信する別の実行可能な技術は、送信機タイミング情報をポジショニングパイロットチャネル（ＰＰＣ）に埋め込むことである。このケースでは、受信機は、送信機からのＰＰＣを使用して、所定の送信機からのチャネルを最初に推定し、そしてＰＰＣに埋め込まれたタイミング情報をデコードすることができる。ＰＰＣの検出確率が、シンボルに埋め込まれた追加的な情報の存在下で影響されにくくするこのケースでは、ＰＰＣの処理利得を十分に増加させなければならないかもしれない。
【００２７】
３３０において、タイミング情報を送信する第３の実行可能な技術は、非リアルタイムＭＬＣ（メディアＦＬＯ論理チャネル）として送信機の暦を定期的にブロードキャストして、受信機がこの特定の情報ＭＬＣをデコードすることを容易にすることである。３４０において、別の魅力的な技術は、図４に関して以下で説明するようにタイミングオフセットを考慮に入れることによりＰＰＣシンボルに対する送信機波形を修正することによって、送信機におけるタイミングオフセット情報を軽減させる。
【００２８】
図４は、ワイヤレスポジショニングシステムにおいてタイミング情報を調整する例示的なシステム４００を図示している。この例では、２つの送信機ＡおよびＢを４１０で示している。システムにおいて可能性あるタイミング差に対処するために、４２０において、送信機４１０からの信号を前進または遅延させることができる。したがって、受信機４３０は、先に記述したように中央クロックからのオフセットを決定する必要なく、位置場所を決定することができるかもしれない。受信機４３０によって認識されるような有効チャネル遅延拡散を調整するために、４２０において送信機タイミングを前進または遅延させる概念がＦＬＯシステムに取り入れられる。１つのケースにおいて、ＯＦＤＭシステムでは、ＯＦＤＭ信号によって使用されるサイクリック・プレフィックスよりもチャネルの遅延拡散が小さい場合、送信信号とのチャネルの線形畳み込みを巡回畳み込みとして取り扱うことができる。
【００２９】
この例において、タイミングオフセットｄaおよびｄbを有する４１０における送信機ＡおよびＢについて考える。τ’aを、送信機Ａと受信機４３０との間の距離に基づく見通線伝播成分によって認識される実際の遅延とする。同様に、τ’bを、送信機Ｂから受信機４３０への見通線成分によって認識される実際の遅延とする。（送信機のそれぞれから１つの見通線成分を仮定して）遅延拡散τ’b−τ’aがサイクリック・プレフィックスを超えたときに、追加的な遅延ｄaおよびｄbが送信機において導入されることに留意すべきである。送信機における遅延ｄaおよびｄbにより、受信機で受信される信号は、
【数３】
2009512253.tif 000005
【００３０】
によって与えられる。
【００３１】
ここで、ｈa（ｎ）およびｘa（ｎ）は、送信機Ａに対するチャネルおよび信号であり、＊は線形畳み込み演算を表し、ｗ（ｎ）は受信機で追加されるノイズである。ワイドエリアネットワークにおけるトラフィックチャネルのケースでは、ｘa（ｎ）およびｘb（ｎ）は、一般的に同一（すなわちｘ（ｎ））である。
【００３２】
線形畳み込みのプロパティを使用すると、上記の数式を、
【数４】
2009512253.tif 000006
【００３３】
として記すことができる。
【００３４】
認識されるチャネル遅延拡散は
【数５】
2009512253.tif 000007
【００３５】
によって与えられるので、送信機においてタイミングオフセットを導入することによって制御することができる。有効な遅延拡散がサイクリック・プレフィックスよりも小さいときに、数式１中の受信信号は、線形畳み込みの代わりに巡回畳み込みとして記すことが可能である。したがって、
【数６】
2009512253.tif 000008
【００３６】
ここでは、
【数７】
2009512253.tif 000009
【００３７】
は、巡回畳み込みを示す。サイクリック・プレフィックスが十分長い場合、結果的に数式３となる数式１におけるｄaだけ信号ｘa（ｎ）を遅延させる演算は、数式３においてｄaによるｘa（ｎ）の巡回回転によって実現することができる。
【００３８】
上記のケースに基づいて、以下では、規則的なトラフィックチャネルに対するパイロットポジショニングチャネルについて提案する。規則的なトラフィックチャネル中、使用されるサイクリック・プレフィックスは、一般的に、短い（ＦＬＯのケースでは５１２チップである）ので、チャネルの有効な遅延拡散を調整するために、数式３で説明した巡回シフト技術を使用することができない。したがって、各送信機からの送信は、サイクリック・プレフィックス要求を満たすために物理的に遅延される（この例では、送信機ＡおよびＢはｄaおよびｄbだけ）であろう。一方、ポジショニングパイロットチャネルについては、遠く離れた弱い送信機からの遅延の推定を可能にするように、（チップはデータパケットにエンコードされたビットを指す、ＦＬＯ中の２５００チップのオーダーの）ロングサイクリック・プレフィックスが使用されてもよい。さらに、トラフィックチャネルに対して送信機により導入された遅延ｄaおよびｄbは、ポジショニングパイロットチャネルで行われる遅延観察に影響を与えるので、先に説明したように、このオーバーヘッド情報が受信機において必要になる。
【００３９】
パイロットポジショニングチャネルに対するロングサイクリック・プレフィックスの利用可能性を想定すると、送信機は、ポジショニング信号の巡回シフトによって、実際の物理遅延ｄaおよびｄbの影響を取り消すことができる。ｘa,p（ｎ）が送信機Ａからの、タイミング遅延ｄaを有する意図されたポジショニング信号である場合、送信機は、
【数８】
2009512253.tif 000010
【００４０】
によって与えられる巡回的にシフトされたバージョンを送り出すことができる。同様に、送信機Ｂからの信号を巡回的にシフトさせる。ロングサイクリック・プレフィックスの存在のために、数式３は、依然として有効であり、したがって、
【数９】
2009512253.tif 000011
【００４１】
であるので、送信機遅延情報を受信機に送り出す必要性を軽減する。この技術は、ネットワークプランニングの一部分として導入された遅延とともに、例えば、フィルタ、ケーブルおよび他のこのようなコンポーネントが原因で生じるかもしれない、他のタイミング遅延から結果的に生じる送信機タイミングオフセットに対処するために使用することができる。
【００４２】
別の実施形態に関して、上記の説明において、移動体受信機で距離範囲測定が計算されていることを仮定してもよい。しかしながら、タイミング情報をオフラインで利用できるネットワーク中で計算を行うことが可能である。このケースでは、受信機は、送信機タイミングオフセットを考慮せずに、擬似距離範囲Ｓ’a、Ｓ’b、およびＳ’cを測定することができ、ここでは、例えば、
【数１０】
2009512253.tif 000012
【００４３】
である。受信機が、擬似距離範囲Ｓ’aをネットワークに中継すると、ネットワークにおいて暦全体が利用可能になるので、タイミングオフセットによるさらなる訂正をネットワークにおいて容易に実行することができる
上記の説明では、受信機クロックは共通クロックに厳密に同期され、共通クロックと送信機クロックとの間の不整合は、タイミングオフセットまたは送信機における位相調整のために存在することを仮定している。しかしながら、このことは特別なケースであると考えることができ、受信機クロックは、共通クロックに同期させる必要がないことに留意すべきである。受信機クロックが共通クロックに同期されなかったとき、各送信機からの遅延測定は、共通のバイアス期間も含むことができる。これは、共通クロックと受信機クロックとの間の不整合の量である。共通バイアスは、ここでは、受信機の空間座標に加えて計算される必要がある別の未知数である。空間座標とともにクロックバイアスにおける未知数、追加的な送信機からの測定値の助けを借りて、すべて解くことができる。特に、空間座標とともに受信機における共通クロックバイアスの双方を解くためには、例えば、（共通クロック源に対して利用可能なタイミングオフセット情報を有し、受信機が地球の表面上にあることを前提としている）４つの異なる送信機からの測定値を持つことで十分である。受信機における共通クロックバイアスを欠いた（すなわち、受信機クロックが共通クロックに同期されている）状態で、例えば、３つの異なる送信機からの遅延測定値を持つことで十分である。
【００４４】
図５は、ワイヤレスポジショニングシステム向けの例示的なネットワーク層５００を図示している。フォワードリンクオンリー（ＦＬＯ）無線インターフェイスプロトコル基準モデルを図５において示している。一般的に、ＦＬＯ無線インターフェイス仕様は、層１（物理層）と層２（データリンク層）とを有するＯＳＩ６に対応するプロトコルおよびサービスをカバーしている。データリンク層は、２つのサブ層、すなわちメディアアクセス（ＭＡＣ）サブ層とストリームサブ層とにさらに細分化される。上位層には、制御情報のコンテンツとフォーマッティング化とともに、マルチメディアコンテンツの圧縮と、マルチメディアに対するアクセス制御とを含めることができる。
【００４５】
ＦＬＯ無線インターフェイス仕様は、一般的に、さまざまなアプリケーションおよびサービスのサポートにおける設計の柔軟性を実現するために、上位層を特定しない。状況を提供するためにこれらの層が示されている。ストリーム層は、上位層パケットをそれぞれの論理チャネルのストリームに結合する、１つの論理チャネルへの３つまでの上位層フローの多重を含み、パケット化と残留のエラー取り扱い機能とを提供する。メディアアクセス制御（ＭＡＣ）層の機能は、物理層へのアクセス制御を含み、論理チャネルと物理チャネルとの間でマッピングを実行し、物理チャネルによる送信のために論理チャネルを多重化し、移動体デバイスで論理チャネルを多重分離化し、および／またはサービス品質（ＱＯＳ）要求を強制する。物理層の機能は、フォワードリンクに対するチャネル構造を提供することと、周波数、変調およびエンコーディングの要求を規定することとを含む。
【００４６】
一般的に、ＦＬＯ技術は、直交周波数分割多重化（ＯＦＤＭ）に利用される。また、これは、デジタルオーディオブロードキャスティング（ＤＡＢ）７、衛星デジタルビデオブロードキャスティング（ＤＡＢ−Ｔ）８、および衛星統合サービスデジタルブロードキャスティング（ＩＳＤＢ−Ｔ）９にも利用される。一般的に、ＯＦＤＭ技術は、高スペクトル効率を実現する一方で、広いセルＳＦＮにおける可動性要求を効果的に満たすことができる。さらに、ＯＦＤＭは、適切な長さのサイクリック・プレフィックス、すなわち、直交性を容易にして搬送波間干渉を軽減するために、（データシンボルの最後の部分のコピーである）シンボルの前に追加されるガードインターバルによって、複数の送信機からの長い遅延を取り扱うことができる。この間隔の長さが最大チャネル遅延より大きい限り、前のシンボルの反射は取り除かれて、直交性が保たれる。
【００４７】
図６に進むと、ＦＬＯ物理層６００が図示されている。ＦＬＯ物理層は、（４０９６副搬送波のトランスフォームサイズを発生させる）４Ｋモードを使用し、かなり広いＳＦＮセルに有用な十分に長いガードインターバルを保持しながら、８Ｋモードと比較して優れた移動体性能を提供する。最適化されたパイロットおよびインターリーバ構造設計によって、迅速なチャネル捕捉を実現することができる。ＦＬＯ無線インターフェイスに組み込まれているインターリーブスキームは、時間ダイバーシティを容易にする。パイロット構造およびインターリーバ設計は、長い捕捉時間でユーザを困らせないようにチャネル利用を最適化する。６００において図示されているように、一般的に、ＦＬＯ送信される信号は、スーパフレームに組織化される。それぞれのスーパフレームは、４つのフレームのデータからなり、ＴＤＭ（時間分割多重化）パイロットと、オーバーヘッド情報シンボル（ＯＩＳ）と、ワイドエリアおよびローカルエリアデータを含むフレームとを含む。ＴＤＭパイロットは、ＯＩＳの迅速な捕捉を可能にするために提供される。ＯＩＳは、スーパフレームにおけるそれぞれのメディアサービスに対するデータの場所を記述する。
【００４８】
一般的に、割り振られた帯域幅のＭＨｚあたり２００のＯＦＤＭシンボル（６ＭＨｚで１２００シンボル）からなり、それぞれのシンボルは、７つのインタレースアクティブ副搬送波を含む。それぞれのインタレースは、周波数的に均一に分散されるので、利用可能な帯域幅内で完全な周波数ダイバーシティを実現することができる。これらのインタレースは、使用される実際のインタレース数および持続期間の点で変化する論理チャネルに割り当てられる。これは、任意の所定のデータ源によって実現される時間ダイバーシティにおいて柔軟性を提供する。時間ダイバーシティを向上させるために、より低いデータレートチャネルに対してより少ないインタレースを割り当てることができるが、無線のオン時間を最小にして消費電力を減少させるために、より高いデータレートチャネルは、より多くのインタレースを利用する。
【００４９】
低および高データレートチャネルの双方に対する捕捉時間は、一般的に同じである。したがって、捕捉時間を損なわずに、周波数および時間ダイバーシティを維持することができる。ＦＬＯ論理チャネルは、リアルタイム（ライブストリーミング）コンテンツを可変レートで搬送して、可変レートコデック（一体になった圧縮器および復元器）によって実行可能な統計的多重化利得を得るのに使用されることが多い。それぞれの論理チャネルは、異なるコーディングレートおよび変調を持ち、異なるアプリケーションに対する、さまざまな信頼性およびサービス品質に関する要求をサポートする。ＦＬＯ多重化スキームによって、関心がある単一論理チャネルのコンテンツをデバイス受信機が復調して電力消費を最小にできるようになる。ビデオおよび関係するオーディオを異なるチャネル上で送ることができるように、移動体デバイスは複数の論理チャネルを同時に復調することができる。
【００５０】
エラー訂正およびコーディング技術も使用することができる。一般的に、ＦＬＯは、ターボインナコード１３とリードソロモン（ＲＳ）アウタコード１４とを組み込んでいる。一般的に、ターボコードパケットは、巡回冗長検査（ＣＲＣ）を含む。正しく受信されたデータに対して計算する必要がないＲＳコードは良好な信号状態のもとで、結果的に、追加的な電力節約となる。別の観点は、ＦＬＯ無線インターフェイスは、５、６、７および８ＭＨｚの周波数帯域幅をサポートするように設計されていることである。非常に望ましいサービス提供は、単一無線周波数チャネルで実現することができる。
【００５１】
図７は、ワイヤレスシステムのための位置および場所プロセス７００を図示している。説明の簡略化の目的のために、方法論は一連のまたは多数の行為として示されて記述されているが、ここで示して記述したものと異なる順序でおよび／または他の行為と同時に、いくつかの行為は行われるかもしれないので、ここで記述したプロセスは行為の順序によって限定されないことを理解して正しく認識すべきである。例えば、状態図におけるように、一連の相互関係のある状態またはイベントとして方法論を代替的に提示できることを、当業者は理解して正しく認識するだろう。さらに、図示したすべての行為が、ここで開示した主題の方法論にしたがった方法論を実現するために必要であるとは限らない。
【００５２】
７１０に進むと、さまざまなタイミング訂正が決定される。これは、送信機、受信機および／または中央クロック源間のタイミング差を決定するために計算を行うことを含むことができる。このような差は、クロックとの差を訂正するために受信機で使用されてもよいタイミングオフセットを決定するために使用することができ、また、このような計算は、タイミング差に対処するために、送信機ブロードキャストをどのくらい前進または遅延させるかを決定するために使用することができる。テストデバイスを使用して、潜在的なシステム変更を監視することができ、ここで、オフセットの決定または送信機信号調整を容易にするために、このようなデバイスからフィードバックが受け取られる。７２０において、潜在的な受信機が位置または場所の計算をどのくらい調整しなければならないかを示すために、データパケットの一部分として、１つ以上の時間オフセットが送信される。代わりに、ワイヤレスネットワーク中における、中央クロックに関するタイミング差に対処するために、７３０において信号を前進または遅延させることができる。正しく認識できるように、７２０および７３０での双方のアプローチを同時に適用することができる。例えば、７２０において一定の時間オフセットを送信して、環境的または電気的状態の変化する場合に、７３０において前進または遅延に調整可能な信号を利用することが効果的であるかもしれない。これらの変化を監視することができ、また閉ループメカニズムを使用して、システム送信またはタイミングを自動的に調整することができる。別の観点では、潜在的に検出された変化に対処するために、７２０において動的に計算されて送信された定数および時間オフセットとして、送信タイミングにおける前進または遅延を適用することができる。
【００５３】
７４０において、訂正または調整された信号、ならびに／あるいは時間オフセットが受信される。先に述べたように、時間オフセットが受信されてもよく、クロックに対して調整された信号が受信されてもよく、また時間オフセットと調整された信号とを組み合わせたものが受信されてもよい。７５０において、時間オフセット、および／または位相調整された信号が、１つ以上の受信機における位置を決定するために利用される。クロックと基準源との間で生じるかもしれない差に対処する位置場所情報を自動的に計算するために、このような情報を使用することができる。例えば、時間オフセット、または位相調整された信号を屋内で受信して、受信機の位置を決定することができる。
【００５４】
図８は、ここで述べた１つ以上の観点にしたがったワイヤレス通信環境で使用されるユーザデバイス８００の実例である。ユーザデバイス８００は受信機８０２を具備し、受信機８０２は、例えば、（示されていない）受信アンテナから信号を受け取り、一般的な動作（例えば、フィルタリング、増幅、ダウンコンバート等）を受信信号に実行し、調整された信号をデジタル化してサンプルを得る。受信機８０２は、最大可能性（ＭＬ）−ＭＭＳＥ受信機またはこれに類するような非線形受信機であってもよい。チャネル推定のために、復調器８０４は、受信されたパイロットシンボルを復調して、プロセッサ８０６に提供することができる。前に記述したように、ＦＬＯ信号を処理するために、ＦＬＯチャネルコンポーネント８１０が設けられている。これは、他のプロセスの中でとりわけデジタルストリーム処理および／またはポジショニング場所計算を含むことができる。プロセッサ８０６は、受信機８０２によって受信された情報を解析する、および／または送信機８１６による送信用の情報を発生させるのに専用のプロセッサとすることができ、ユーザデバイス８００の１つ以上のコンポーネントを制御するプロセッサとすることができ、ならびに／あるいは受信機８０２によって受信された情報を解析し、送信機８１６による送信用の情報を発生させて、かつユーザデバイス８００の１つ以上のコンポーネントを制御するプロセッサとすることができる。
【００５５】
また、ユーザデバイス８００はメモリ８０８をさらに具備しており、メモリ８０８は、プロセッサ８０６に動作可能に結合されており、ユーザデバイス８００に対して計算されたランクに関する情報と、ランク計算プロトコルと、それに関する情報を含むルックアップテーブルと、ここで記述されたようなワイヤレス通信システムにおける非線形受信機でランクを計算するためにリスト球面デコーディングをサポートするための他の何らかの適切な情報とを記憶する。ここで記述したように、ユーザデバイス８００が、記憶されたプロトコルおよび／またはアルゴリズムを使用して、非線形受信機においてランク決定を実現することができるように、メモリ８０８は、さらに、ランク計算や、行列発生等に関係付けられたプロトコルを記憶することができる。
【００５６】
ここで記述したデータ記憶（例えば、メモリ）コンポーネントは、揮発性メモリまたは不揮発性メモリのいずれかであってもよく、または揮発性メモリおよび不揮発性メモリの双方を含んでもよいことを正しく認識すべきである。例示のために、そして限定ではなく、実例の方法によって、不揮発性メモリは、リードオンリーメモリ（ＲＯＭ）、プログラム可能なＲＯＭ（ＰＲＯＭ）、電気的にプログラム可能なＲＯＭ（ＥＰＲＯＭ）、電気的に消去可能なＲＯＭ（ＥＥＰＲＯＭ）、またはフラッシュメモリ（登録商標）を含むことができる。揮発性メモリは、ランダムアクセスメモリ（ＲＡＭ）を含むことができ、これは外的キャシュメモリとして機能する。例示のために、そして限定ではなく、ＲＡＭは、シンクロナスＲＡＭ（ＳＲＡＭ）、ダイナミックＲＡＭ（ＤＲＡＭ）、シンクロナス型ＤＲＡＭ（ＳＤＲＡＭ）、二重データレートＳＤＲＡＭ（ＤＤＲ ＳＤＲＡＭ）、拡張型ＳＤＲＡＭ（ＥＳＤＲＡＭ）、シンクリンクＲＡＭ（ＳＬＤＲＡＭ）およびダイレクトラムバスＤＲＡＭ（ＤＲＲＡＭ）のような多くの形態で利用可能である。本件のシステムおよび方法のメモリ８０８は、これらの、および他の何らかの適切なタイプのメモリを具備することに向けられているが、これらに限定されていない。ユーザデバイス８０８は、ＦＬＯデータを処理するためのバックグラウンドモニタ８１４と、シンボル変調器８１４と、変調された信号を送信する送信機８１６とをさらに具備する。
【００５７】
図９は、例示的なシステム９００を図示している。システム９００は、複数の受信アンテナ９０６によって１つ以上のユーザデバイス９０４から信号を受信する受信機９１０と、送信アンテナ９０８によって１つ以上のユーザデバイス９０４に送信する送信機９２４とを備えた基地局９０２を具備する。受信機９１０は、受信アンテナ９０６から情報を受け取ることができ、受け取った情報を復調する復調器９１２と動作可能に関係している。復調されたシンボルは、図８について先に記述したプロセッサに類似しているプロセッサ９１４によって解析され、プロセッサ９１４はメモリ９１６に結合されている。メモリ９１６は、ユーザランクに関連する情報、それに関連するルックアップテーブル、および／またはここで述べたさまざまな動作および機能を実行することに関連する他の任意の適切な情報を記憶する。プロセッサ９１４は、さらにＦＬＯチャネルコンポーネント９１８に結合されており、ＦＬＯチャネルコンポーネント９１８は、１つ以上の各ユーザデバイス９０４に関係するＦＬＯ情報の処理を容易にする。
【００５８】
変調器９２２は、送信アンテナ９０８を通してのユーザデバイス９０４への送信機９２４による送信用信号を多重化することができる。ＦＬＯチャネルコンポーネント９１８は、ユーザデバイス９０４と通信する所定の送信ストリーム用の更新されたデータストリームに関連する信号に対して情報を付加することができ、そして、新しい最適チャネルが識別されて肯定応答されたことの表示を提供するために、ユーザデバイス９０４に対してこの情報を送信することができる。この方法において、基地局９０２は、ユーザデバイス９０４と対話することができ、ユーザデバイス９０４は、ＦＬＯ情報を提供し、ＭＬ−ＭＩＭＯ受信機等のような非線形受信機とともに、デコーディングプロトコルを使用する。
【００５９】
図１０は、例示的なワイヤレス通信システム１０００を示している。簡潔にするために、ワイヤレス通信システム１０００は、１つの基地局および１つの端末を図示している。しかしながら、システムは１つより多い基地局および／または１つより多い端末を含むことができ、ここでは、追加的な基地局および／または端末は、以下で記述する例示的な基地局および端末に実質的に類似または相違してもよいことを正しく認識すべきである。
【００６０】
ここで図１０を参照すると、ダウンリンク上では、アクセスポイント１０１５において、送信（ＴＸ）データプロセッサ１０１０が、トラフィックデータを受け取り、フォーマット化、コード化、インターリーブ、および変調（またはシンボルマッピング）して、変調シンボル（“データシンボル”）を提供する。シンボル変調器１０１５は、データシンボルおよびパイロットシンボルを受け取って処理し、シンボルのストリームを提供する。シンボル変調器１０１５は、データおよびパイロットシンボルを多重化して、これらを送信機ユニット（ＴＭＴＲ）１０１５に提供する。それぞれの送信シンボルは、データシンボル、パイロットシンボル、あるいはゼロの信号値であってもよい。パイロットシンボルは、それぞれのシンボル期間に連続して送られてもよい。パイロットシンボルは、周波数分割多重化（ＦＤＭ）、直交周波数分割多重化（ＯＦＤＭ）、時間分割多重化（ＴＤＭ）、周波数分割多重化（ＦＤＭ）、あるいはコード分割多重化（ＣＤＭ）であってもよい。
【００６１】
ＴＭＴＲ１０２０は、シンボルのストリームを受け取り、１つ以上のアナログ信号に変換して、アナログ信号をさらに調整（例えば、増幅、フィルタリング、および周波数アップコンバート）して、ワイヤレスチャネルに対して送信するのに適したダウンリンク信号を発生させる。次に、ダウンリンク信号は、アンテナ１０２５によって端末に送信される。端末１０３０では、アンテナ１０３５がダウンリンク信号を受信し、受信信号を受信機ユニット（ＲＣＶＲ）１０４０に提供する。受信機ユニット１０４０は、受信信号を調整（例えば、フィルタリング、増幅、および周波数ダウンコンバート）して、調整された信号をデジタル化して、サンプルを取得する。シンボル復調器１０４５は、受信されたパイロットシンボルを復調して、チャネル推定のためにプロセッサ１０５０に提供する。シンボル復調器１０４５は、プロセッサ１０５０からダウンリンクに対する周波数応答推定をさらに受け取り、受信されたデータシンボル上でデータ復調を実行して（送信されたデータシンボルの推定値である）データシンボル推定を取得し、ＲＸデータプロセッサ１０５５にデータシンボル推定を提供して、ＲＸデータプロセッサ１０５５は、データシンボル推定を復調（すなわち、シンボルデマッピング）し、デインターリーブしてデコードし、送信されたトラフィックデータを復元する。シンボル復調器１０４５およびＲＸデータプロセッサ１０５５による処理は、アクセスポイント１００５におけるシンボル復調器１０１５およびＴＸデータデータプロセッサ１０１０によるプロセスに対して相補関係にある。
【００６２】
アップリンク上では、ＴＸデータプロセッサ１０６０がトラフィックデータを処理してデータシンボルを提供する。シンボル変調器１０６５は、データシンボルを受け取ってパイロットシンボルと多重化し、変調を行い、シンボルのストリームを提供する。送信機ユニット１０７０は、シンボルのストリームを受け取って処理し、アップリンク信号を発生させる。アップリンク信号は、アンテナ１０３５によってアクセスポイント１００５に送信される。
【００６３】
アクセスポイント１００５では、端末１０３０からのアップリンク信号が、アンテナ１０２５によって受信され、受信機ユニット１０７５によって処理され、サンプルが取得される。シンボル復調器１０８０は、サンプルを処理し、受信されたパイロットシンボルおよびデータシンボル推定値をアップリンクに提供する。ＲＸデータプロセッサ１０８５は、データシンボル推定値を処理して、送信機１０３０によって送信されたトラフィックデータを復元する。プロセッサ１０９０は、アップリンク上で送信する、それぞれのアクティブ端末に対するチャネル推定を行う。複数の端末が、各割り当てられた組のパイロット副帯域のアップリンク上でパイロットを同時に送信してもよく、ここで、パイロット副帯域の組がインタレースされてもよい。
【００６４】
プロセッサ１０９０および１０５０は、それぞれ、アクセスポイント１００５および端末１０３０における動作を指示（例えば、制御、調整、管理、等）する。各プロセッサ１０９０および１０５０は、プログラムコードおよびデータを記憶する（示されていない）メモリユニットに関係付けることができる。プロセッサ１０９０および１０５０は、それぞれ、計算を行い、アップリンクおよびダウンリンクに対する周波数およびインパルス応答推定値を導出することができる。
【００６５】
多元接続システム（例えば、ＦＤＭＡ、ＯＦＤＭＡ、ＣＤＭＡ、ＴＤＭＡ等）については、複数の端末がアップリンク上で同時に送信することができる。このようなシステムのために、パイロット副帯域が、異なる端末間で共有されてもよい。それぞれの端末に対するパイロット副帯域が動作帯域全体にわたる（おそらく、帯域境界は除く）ケースでは、チャネル推定技術を使用してもよい。このようなパイロット副帯域構成は、それぞれの端末に対して周波数ダイバーシティを得るには望ましい。ここで記述した技術は、さまざまな手段によって実現されてもよい。例えば、これらの技術は、ハードウェア、ソフトウェア、あるいはこれらを組み合わせたもので実現されてもよい。ハードウェア実現のために、１つ以上の特定用途向け集積回路（ＡＳＩＣ）、デジタル信号プロセッサ（ＤＳＰ）、デジタル信号処理デバイス（ＤＳＰＤ）、プログラム可能ロジックデバイス（ＰＬＤ）、フィールドプログラム可能ゲートアレイ（ＦＰＧＡ）、プロセッサ、制御装置、マイクロ制御装置、マイクロプロセッサ、ここで記述した機能を実行するように設計されている他の電子ユニット、あるいはこれらを組み合わせたもの内で、チャネル推定のために使用される処理ユニットを実現してもよい。ソフトウェアとともに、ここで記述した機能を実行するモジュール（例えば、手順、関数等）で実現されてもよい。ソフトウェアコードはメモリユニット中に記憶させて、プロセッサ１０９０および１０５０によって実行されてもよい。
【００６６】
ソフトウェアの実現のために、ここで記述した機能を実行するモジュール（例えば、手順、関数等）により、ここで記述した技術を実現してもよい。ソフトウェアコードはメモリユニット中に記憶させて、プロセッサによって実行してもよい。メモリユニットをプロセッサ内部またはプロセッサの外部で実現してもよく、どちらのケースにおいても、技術的に知られているさまざまな手段によって、プロセッサと通信可能にプロセッサと結合することができる。
【００６７】
上記に記述したことは、例示的な実施形態を含む。もちろん、実施形態を記述する目的のために、コンポーネントまたは方法のすべての考えられる組み合わせを記述することは当然不可能であるが、当業者は、さらなる多くの組み合わせ、および置換が可能であることを認識するかもしれない。したがって、これらの実施形態は、特許請求の範囲の精神および範囲内にあるすべてのこのような変更、修正およびバリエーションを含むことを意図しており、さらに、用語「含む」が詳細な説明または特許請求の範囲のいずれかで使用される限り、このような用語は、用語「具備する」が請求項中で移行語として使用されるときに解釈されるように用語「具備する」とある意味、類似して包括的であることが意図されている。
【図面の簡単な説明】
【００６８】
【図１】図１は、ワイヤレスネットワークポジショニングシステムを図示している概略ブロック図である。
【図２】図２は、位置場所決定のためのタイミングオフセット情報を使用する例示的なシステムである。
【図３】図３は、タイミングオフセット情報を送信するための例示的な技術を図示している。
【図４】図４は、ワイヤレスポジショニングシステム中でタイミング情報を調整するための例示的なシステムを図示している。
【図５】図５は、ワイヤレスポジショニングシステムの例示的なネットワーク層を図示している図である。
【図６】図６は、ワイヤレスポジショニングシステムの例示的なデータ構造および信号を図示している図である。
【図７】図７は、ワイヤレスポジショニングシステムの例示的なタイミングプロセスを図示している。
【図８】図８は、ワイヤレスシステム用の例示的なユーザデバイスを図示している図である。
【図９】図９は、ワイヤレスシステム用の例示的な基地局を図示している図である。
【図１０】図１０は、ワイヤレスシステム用の例示的な送信機を図示している図である。
【図１】
2009512253.tif 000013
【図２】
2009512253.tif 000014
【図３】
2009512253.tif 000015
【図４】
2009512253.tif 000016
【図５】
2009512253.tif 000017
【図６】
2009512253.tif 000018
【図７】
2009512253.tif 000019
【図８】
2009512253.tif 000020
【図９】
2009512253.tif 000021
【図１０】
2009512253.tif 000022
【国際調査報告】
2009512253.tif 000023
2009512253.tif 000024
2009512253.tif 000025